(57)【要約】      （修正有）【課題】ワイヤレス感知装置及びワイヤレス感知装置を含む照明装置を提供する。【解決手段】接続用インターフェイス１１は照明装置Ａの電源変換モジュールＡ１に分離可能に接続され、且つ電源変換モジュールＡ１を介して照明装置Ａの発光モジュールＡ２に接続される。少なくとも１つの検出モジュールＡ２は接続用インターフェイス１１に接続され、且つ周囲の環境の変化を感知させて少なくとも１つの検出信号を発生させる。処理モジュール１３は検出モジュール１２及び接続用インターフェイス１１に接続される。ワイヤレス通信モジュール１４は処理モジュール１３に接続される。検出モジュール１２により検出信号が接続用インターフェイス１１を通して電源変換モジュールＡ１に伝送され、及び／或いは処理モジュール１３により検出信号がワイヤレス通信モジュール１４に伝送されて検出信号が他の照明装置Ａに発信される。【選択図】図１
2017017027.tif 000002
【特許請求の範囲】
【請求項１】
照明装置に応用されるワイヤレス感知装置であって、
前記照明装置の電源変換モジュールに分離可能に接続され、且つ前記電源変換モジュールを介して前記照明装置の発光モジュールに接続される接続用インターフェイスと、
前記接続用インターフェイスに接続され、且つ周囲の環境の変化を感知させて少なくとも１つの検出信号を発生させる少なくとも１つの検出モジュールと、
前記少なくとも１つの検出モジュール及び前記接続用インターフェイスに接続される処理モジュールと、
前記処理モジュールに接続されるワイヤレス通信モジュールと、
を備え、
前記少なくとも１つの検出モジュールにより前記少なくとも１つの検出信号が前記接続用インターフェイスを通して前記電源変換モジュールに伝送され、及び／或いは前記処理モジュールにより前記少なくとも１つの検出信号が前記ワイヤレス通信モジュールに伝送されて前記少なくとも１つの検出信号が発信されることを特徴とするワイヤレス感知装置。
【請求項２】
前記接続用インターフェイスはプラグアンドプレイインターフェイスであることを特徴とする、請求項１に記載のワイヤレス感知装置。
【請求項３】
前記プラグアンドプレイインターフェイスはＵＳＢ（Universal Serial Bus）インターフェイスであることを特徴とする、請求項２に記載のワイヤレス感知装置。
【請求項４】
前記電源変換モジュールは電子安定器であることを特徴とする、請求項１に記載のワイヤレス感知装置。
【請求項５】
前記発光モジュールはガス放電ランプであることを特徴とする、請求項４に記載のワイヤレス感知装置。
【請求項６】
前記ガス放電ランプは、水銀ランプ、メタルハライドランプ、ナトリウムランプ、蛍光灯、およびキセノンランプのうちの少なくとも１つを含むことを特徴とする、請求項５に記載のワイヤレス感知装置。
【請求項７】
前記電源変換モジュールは発光ダイオードドライバであることを特徴とする、請求項１に記載のワイヤレス感知装置。
【請求項８】
前記発光モジュールは発光ダイオードランプであることを特徴とする、請求項７に記載のワイヤレス感知装置。
【請求項９】
前記ワイヤレス感知装置は複数の検出モジュールを備え、前記複数の検出モジュールは、温度検出器、光検出器、湿度検出器、二酸化炭素検出器、一酸化炭素検出器、及び煙霧検知器の内の何れか２つまたは２つ以上を含むことを特徴とする、請求項１に記載のワイヤレス感知装置。
【請求項１０】
前記処理モジュールはマイクロコントローラであることを特徴とする、請求項１に記載のワイヤレス感知装置。
【請求項１１】
電源変換モジュールと、発光モジュールと、ワイヤレス感知装置とを備える照明装置であって、
前記ワイヤレス感知装置は、
前記電源変換モジュールに分離可能に接続され、且つ前記電源変換モジュールを介して前記発光モジュールに接続される接続用インターフェイスと、
前記接続用インターフェイスに接続され、且つ周囲の環境の変化を感知させて少なくとも１つの検出信号を発生させる少なくとも１つの検出モジュールと、
前記少なくとも１つの検出モジュール及び前記接続用インターフェイスに接続される処理モジュールと、
前記処理モジュールに接続されるワイヤレス通信モジュールと、
を含み、
前記少なくとも１つの検出モジュールにより前記少なくとも１つの検出信号が前記接続用インターフェイスを通して前記電源変換モジュールに伝送され、及び／或いは前記処理モジュールにより前記少なくとも１つの検出信号が前記ワイヤレス通信モジュールに伝送されて前記少なくとも１つの検出信号が発信されることを特徴とする照明装置。
【請求項１２】
前記接続用インターフェイスはプラグアンドプレイインターフェイスであることを特徴とする、請求項１１に記載の照明装置。
【請求項１３】
前記プラグアンドプレイインターフェイスはＵＳＢインターフェイスであることを特徴とする、請求項１２に記載の照明装置。
【請求項１４】
前記電源変換モジュールは電子安定器であることを特徴とする、請求項１１に記載の照明装置。
【請求項１５】
前記発光モジュールはガス放電ランプであることを特徴とする、請求項１４に記載の照明装置。
【請求項１６】
前記ガス放電ランプは、水銀ランプ、メタルハライドランプ、ナトリウムランプ、蛍光灯、およびキセノンランプのうちの少なくとも１つを含むことを特徴とする、請求項１５に記載の照明装置。
【請求項１７】
前記電源変換モジュールは発光ダイオードドライバであることを特徴とする、請求項１１に記載の照明装置。
【請求項１８】
前記発光モジュールは発光ダイオードランプであることを特徴とする、請求項１７に記載の照明装置。
【請求項１９】
前記ワイヤレス感知装置は複数の検出モジュールを備え、前記複数の検出モジュールは、温度検出器、光検出器、湿度検出器、二酸化炭素検出器、一酸化炭素検出器、及び煙霧検知器の内の何れか２つまたは２つ以上を含むことを特徴とする、請求項１１に記載の照明装置。
【請求項２０】
前記処理モジュールはマイクロコントローラであることを特徴とする、請求項１１に記載の照明装置。
【発明の詳細な説明】
【技術分野】
【０００１】
本発明は、環境の変化を感知させるワイヤレス感知装置に関し、且つ本発明は、さらにこのワイヤレス感知装置を含む照明装置に関する。
【背景技術】
【０００２】
現在、温度検出器、光検出器、湿度検出器、二酸化炭素検出器、一酸化炭素検出器及び煙霧検知器等の様々な検出器が建築物中に設置されている。様々な検出器を利用して環境の各種の変化を検出させることで、人々がこれらの変化に対して適切に反応できるようにしている。
【発明の概要】
【発明が解決しようとする課題】
【０００３】
しかしながら、前述した従来の検出器は、多くの人がその欠点を指摘している。すなわち、従来の技術による検出器の設置には専用の回路が必要であり、設置する検出器の数が多い場合、多くの回路を同時に増設させねばならず、検出器の設置コストが大幅に高騰した。
【０００４】
なお、従来の技術による検出器の設置には専用の空間も必要であり、設置する検出器の数が多い場合、空間を広く占拠するため、使用上極めて不便であった。
【０００５】
また、従来の技術による検出器は通常１種類の機能しかなく、例えば、温度を検出する検出器には湿度を検出する機能がない等、従来の技術による検出器には使用上の大きな制限があった。
【０００６】
さらに、従来の技術による検出器は通常検出機能しかなく、他の装置に接続できず、それら装置が検出器からの検出信号に基づいて対応する操作を実行させる等もできないため、従来の技術による検出器は応用範囲が極めて限られた。
【０００７】
そこで、本発明者は上記の欠点が改善可能と考え、鋭意検討を重ねた結果、合理的かつ効果的に課題を改善する本発明の提案に到った。
【０００８】
本発明は、以上の従来技術の課題を解決する為になされたものである。即ち、本発明の目的は、ワイヤレス感知装置を提供することにあり、従来の技術による検出器はコストが高過ぎ、空間を大きく占拠し、使用範囲及び応用範囲が限定されるという問題を解決させる。
【課題を解決するための手段】
【０００９】
上述した課題を解決し、目的を達成するために、本発明に係るワイヤレス感知装置は、照明装置に接続され、ワイヤレス感知装置は、接続用インターフェイスと、少なくとも１つの検出モジュールと、処理モジュールと、ワイヤレス通信モジュールとを備える。接続用インターフェイスは照明装置の電源変換モジュールに分離可能に接続され、且つ電源変換モジュールを介して照明装置の発光モジュールに接続される。少なくとも１つの検出モジュールは接続用インターフェイスに接続され、且つ周囲の環境の変化を感知させて少なくとも１つの検出信号を発生させる。処理モジュールは少なくとも１つの検出モジュール及び接続用インターフェイスに接続される。ワイヤレス通信モジュールは処理モジュールに接続される。少なくとも１つの検出モジュールにより少なくとも１つの検出信号が接続用インターフェイスを通して電源変換モジュールに伝送され、及び／或いは処理モジュールにより少なくとも１つの検出信号がワイヤレス通信モジュールに伝送されて少なくとも１つの検出信号が他の照明装置に発信される。
【００１０】
また、本発明の目的の一つによれば、本発明に係る照明装置は、電源変換モジュールと、発光モジュールと、ワイヤレス感知装置とを備える。ワイヤレス感知装置は、接続用インターフェイスと、少なくとも１つの検出モジュールと、処理モジュールと、ワイヤレス通信モジュールとを含む。接続用インターフェイスは電源変換モジュールに分離可能に接続され、且つ電源変換モジュールを介して発光モジュールに接続される。少なくとも１つの検出モジュールは接続用インターフェイスに接続され、且つ周囲の環境の変化を感知させて少なくとも１つの検出信号を発生させる。処理モジュールは少なくとも１つの検出モジュール及び接続用インターフェイスに接続される。ワイヤレス通信モジュールは処理モジュールに接続される。少なくとも１つの検出モジュールにより少なくとも１つの検出信号が接続用インターフェイスを通して電源変換モジュールに伝送され、及び／或いは処理モジュールにより少なくとも１つの検出信号がワイヤレス通信モジュールに伝送されて少なくとも１つの検出信号が他の照明装置に発信される。
【００１１】
ある実施形態において、接続用インターフェイスはプラグアンドプレイインターフェイスである。
【００１２】
ある実施形態において、プラグアンドプレイインターフェイスはＵＳＢインターフェイスである。
【００１３】
ある実施形態において、電源変換モジュールは電子安定器である。
【００１４】
ある実施形態において、発光モジュールはガス放電ランプである。
【００１５】
ある実施形態において、ガス放電ランプは、水銀ランプ、メタルハライドランプ、ナトリウムランプ、蛍光灯、およびキセノンランプのうちの少なくとも１つを含む。
【００１６】
ある実施形態において、電源変換モジュールは発光ダイオードドライバである。
【００１７】
ある実施形態において、発光モジュールは発光ダイオードランプである。
【００１８】
ある実施形態において、ワイヤレス感知装置は複数の検出モジュールを備え、複数の検出モジュールは、温度検出器、光検出器、湿度検出器、二酸化炭素検出器、一酸化炭素検出器、及び煙霧検知器の内の何れか２つまたは２つ以上を含む。
【００１９】
ある実施形態において、処理モジュールはマイクロコントローラである。
【発明の効果】
【００２０】
上述したように、本発明のワイヤレス感知装置及びワイヤレス感知装置を含む照明装置によれば、１つまたは複数の下述の長所を有する。
（１）本発明のある実施形態では、ワイヤレス感知装置は照明装置に接続され、照明装置はワイヤレス感知装置からの検出信号に基づいて対応する操作を実行させる。これにより、ワイヤレス感知装置の応用範囲がより広がる。
（２）本発明のある実施形態では、ワイヤレス感知装置はプラグアンドプレイインターフェイスを介して照明装置の電源変換モジュールに直接接続される。よって、灯具の回路が直接利用されるため、専用の回路が必要なく、コストが大幅に削減される。
（３）本発明のある実施形態では、ワイヤレス感知装置はプラグアンドプレイインターフェイスを介して照明装置の電源変換モジュールに直接接続されるため、専用の空間が必要なく、空間を余計に占拠することがなくなり、使用上より便利になる。
（４）本発明のある実施形態では、ワイヤレス感知装置は異なる複数の検出モジュールを同時に有するため、様々な異なる感知機能が提供され、使用上汎用性が高まる。
（５）本発明のある実施形態では、ワイヤレス感知装置は照明装置に接続され、照明装置がワイヤレス感知装置からの検出信号に基づいて対応する操作を実行させるのみならず、ワイヤレス通信モジュールにより検出信号が他の照明装置に発信され、他の照明装置もワイヤレス感知装置からの検出信号に基づいて対応する操作が実行可能になり、より優れた機能が提供される。
（６）本発明のある実施形態では、ワイヤレス感知装置はプラグアンドプレイインターフェイスを介して照明装置に直接接続される。よって、照明装置と一緒に販売でき、消費者の選択の幅が広がり、商業上の価値が高まる。
【図面の簡単な説明】
【００２１】
【図１】本発明のワイヤレス感知装置を示すブロック図である。
【図２】本発明の第１実施形態によるワイヤレス感知装置を示す概略図である。
【図３】本発明の第２実施形態によるワイヤレス感知装置を示す概略図である。
【図４】本発明の第３実施形態によるワイヤレス感知装置を示す概略図である。
【図５】本発明の第４実施形態によるワイヤレス感知装置を示す概略図である。
【発明を実施するための形態】
【００２２】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。さらに、実施形態中の同じ部材については同じの符号で標示して説明する。
【００２３】
図１は本発明のワイヤレス感知装置１を示すブロック図である。ワイヤレス感知装置１は照明装置Ａに接続され、照明装置Ａは電源変換モジュールＡ１及び発光モジュールＡ２を備える。電源変換モジュールＡ１は電源Ｂ及び照明制御システムＣに接続され、且つ照明制御システムＣによる制御を受ける。ワイヤレス感知装置１は、接続用インターフェイス１１と、検出モジュール１２と、処理モジュール１３と、ワイヤレス通信モジュール１４とを含む。
【００２４】
接続用インターフェイス１１は照明装置Ａの電源変換モジュールＡ１に分離可能に接続され、且つ電源変換モジュールＡ１を介して照明装置Ａの発光モジュールＡ２に接続される。接続用インターフェイス１１は、ＵＳＢインターフェイス(USB interface)等のプラグアンドプレイインターフェイスである。検出モジュール１２は接続用インターフェイス１１に接続され、且つ周囲の環境の変化を感知させて検出信号Ｓ１を発生させる。検出モジュール１２は、温度検出器、光検出器、湿度検出器、二酸化炭素検出器、一酸化炭素検出器、及び煙霧検知器等である。好ましい実施形態において、ワイヤレス感知装置１は複数の検出モジュール１２を備え、これら複数の検出モジュール１２は、温度検出器、光検出器、湿度検出器、二酸化炭素検出器、一酸化炭素検出器、及び煙霧検知器の内の何れか２つまたは２つ以上を含む。処理モジュール１３は検出モジュール１２及び接続用インターフェイス１１に接続される。処理モジュールはマイクロコントローラ(MCU)等である。ワイヤレス通信モジュール１４は処理モジュール１３に接続される。検出モジュール１２により検出信号Ｓ１が接続用インターフェイス１１を通して電源変換モジュールＡ１に伝送され、或いは処理モジュール１３により検出信号Ｓ１がワイヤレス通信モジュール１４に伝送されて検出信号Ｓ１が他の照明装置に発信される。
【００２５】
これにより、照明装置Ａは検出信号Ｓ１に基づいて対応する操作を実行させる以外、検出モジュール１２は更に、ワイヤレス通信モジュール１４により検出信号Ｓ１が他の照明装置Ａに伝送され、他の照明装置Ａが検出信号Ｓ１に基づいて対応する操作を実行させる。また、ワイヤレス感知装置１は接続用インターフェイス１１を介して照明装置Ａと統合されるため、独立した空間及び回路が必要なく、ワイヤレス感知装置１の設置コストが有効的に削減される。
【００２６】
（第１実施形態）
図２は本発明の第１実施形態によるワイヤレス感知装置を示す概略図である。本実施形態を例にして、本発明のワイヤレス感知装置がガス放電ランプ照明装置に応用される例を説明する。図示するように、ワイヤレス感知装置２はガス放電ランプ照明装置Ａ'に接続され、ガス放電ランプ照明装置Ａ'は電子安定器Ａ１'及びガス放電ランプＡ２'を備え、電子安定器Ａ１'は電源Ｂ及び照明制御システムＣに接続され、且つ照明制御システムＣによる制御を受ける。ガス放電ランプＡ２'は、例えば、水銀ランプ、メタルハライドランプ、ナトリウムランプ、蛍光灯、およびキセノンランプのうちの少なくとも１つを含む。ワイヤレス感知装置２は、ＵＳＢインターフェイス２１と、光検出器２２と、マイクロコントローラ２３と、アンテナ２４とを含む。
【００２７】
ＵＳＢインターフェイス２１はガス放電ランプ照明装置Ａ'の電子安定器Ａ１'に分離可能に接続され、且つ電子安定器(Ballast)Ａ１'を介してガス放電ランプ照明装置Ａ'のガス放電ランプＡ２'に接続される。光検出器２２はＵＳＢインターフェイス２１に接続され、且つ周囲の環境光の変化を感知させて光検出信号Ｓ２を発生させる。マイクロコントローラ２３は光検出器２２及びＵＳＢインターフェイス２１に接続される。アンテナ２４はマイクロコントローラ２３に接続される。光検出器２２により光検出信号Ｓ２がＵＳＢインターフェイス２１を通して電子安定器Ａ１'に伝送され、或いはマイクロコントローラ２３により光検出信号Ｓ２がアンテナ２４に伝送されて光検出信号Ｓ２が他の照明装置に発信される。
【００２８】
これにより、ガス放電ランプ照明装置Ａ'は光検出信号Ｓ２に基づいて対応する操作を実行させる以外、光検出器２２によりアンテナ２４を通して光検出信号Ｓ２が他の照明装置に伝送され、他の照明装置も光検出信号Ｓ２に基づいて対応する操作を実行させることができる。
【００２９】
（第２実施形態）
図３は本発明の第２実施形態によるワイヤレス感知装置を示す概略図である。本実施形態を例にして、本発明のワイヤレス感知装置が発光ダイオード照明装置に応用される例を説明する。図示するように、ワイヤレス感知装置２は発光ダイオード照明装置Ａ''に接続され、発光ダイオード照明装置Ａ''は発光ダイオードドライバ(LED driver)Ａ１''及び発光ダイオードランプＡ２''を備える。 発光ダイオードドライバＡ１''は電源Ｂ及び照明制御システムＣに接続され、且つ照明制御システムＣによる制御を受ける。ワイヤレス感知装置２は、ＵＳＢインターフェイス２１と、光検出器２２と、マイクロコントローラ２３と、アンテナ２４とを含む。
【００３０】
同様に、ＵＳＢインターフェイス２１は発光ダイオード照明装置Ａ''の発光ダイオードドライバＡ１''に分離可能に接続され、且つ発光ダイオードドライバＡ１''を介して発光ダイオード照明装置Ａ''の発光ダイオードランプＡ２''に接続される。光検出器２２はＵＳＢインターフェイス２１に接続され、且つ周囲の環境光の変化を感知させて光検出信号Ｓ２を発生させる。マイクロコントローラ２３は光検出器２２及びＵＳＢインターフェイス２１に接続される。アンテナ２４はマイクロコントローラ２３に接続される。光検出器２２により光検出信号Ｓ２がＵＳＢインターフェイス２１を通して発光ダイオードドライバＡ１''に伝送され、或いはマイクロコントローラ２３により光検出信号Ｓ２がアンテナ２４に伝送されて光検出信号Ｓ２が他の照明装置に発信される。
【００３１】
これにより、発光ダイオード照明装置Ａ''は光検出信号Ｓ２に基づいて対応する操作を実行させる以外、光検出器２２は更に、アンテナ２４により光検出信号Ｓ２が他の照明装置に伝送され、他の照明装置も光検出信号Ｓ２に基づいて対応する操作を実行させることができる。
【００３２】
（第３実施形態）
図４は本発明の第３実施形態によるワイヤレス感知装置を示す概略図である。本実施形態を例にして、本発明のワイヤレス感知装置が異なる複数の検出モジュールを有する例を説明する。図示するように、ワイヤレス感知装置２は発光ダイオード照明装置Ａ''に接続され、発光ダイオード照明装置Ａ''は発光ダイオードドライバ(LED driver)Ａ１''及び発光ダイオードランプＡ２''を備える。 発光ダイオードドライバＡ１''は電源Ｂ及び照明制御システムＣに接続され、且つ照明制御システムＣによる制御を受ける。ワイヤレス感知装置２は、ＵＳＢインターフェイス２１と、光検出器２２と、温度検出器２２'と、湿度検出器２２''と、マイクロコントローラ２３と、アンテナ２４とを含む。
【００３３】
同様に、ＵＳＢインターフェイス２１は発光ダイオード照明装置Ａ''の発光ダイオードドライバＡ１''に分離可能に接続され、且つ発光ダイオードドライバＡ１''を介して発光ダイオード照明装置Ａ''の発光ダイオードランプＡ２''に接続される。光検出器２２、温度検出器２２'、及び湿度検出器２２''はＵＳＢインターフェイス２１に接続され、光検出器２２は周囲の環境光の変化を感知させて光検出信号Ｓ２を発生させる。温度検出器２２'は周囲の環境の温度の変化を感知させて温度検出信号Ｓ２'を発生させる。湿度検出器２２''は周囲の環境の湿度の変化を感知させて湿度検出信号Ｓ２''を発生させる。
【００３４】
また、マイクロコントローラ２３は光検出器２２、温度検出器２２'、湿度検出器２２''及びＵＳＢインターフェイス２１に接続される。アンテナ２４はマイクロコントローラ２３に接続される。光検出器２２、温度検出器２２'、及び湿度検出器２２''により光検出信号Ｓ２、温度検出信号Ｓ２'及び湿度検出信号Ｓ２''がＵＳＢインターフェイス２１を通して発光ダイオードドライバＡ１''にそれぞれ伝送され、或いはマイクロコントローラ２３により光検出信号Ｓ２、温度検出信号Ｓ２'及び湿度検出信号Ｓ２''がアンテナ２４に伝送されて光検出信号Ｓ２が他の照明装置に発信される。
【００３５】
これにより、発光ダイオード照明装置Ａ''は光検出信号Ｓ２、温度検出信号Ｓ２'及び湿度検出信号Ｓ２''に基づいて対応する操作を実行させる以外、更に、アンテナ２４により光検出信号Ｓ２、温度検出信号Ｓ２'及び湿度検出信号Ｓ２''が他の照明装置に伝送され、他の照明装置も光検出信号Ｓ２、温度検出信号Ｓ２'及び湿度検出信号Ｓ２''に基づいて対応する操作を実行させることができる。
【００３６】
ちなみに、従来の技術による検出器は通常感知機能のみを有し、他の装置には接続できないため、それら装置が検出器による検出信号に基づいて対応する操作を実行させることもできない。このため、従来の技術による検出器の応用範囲には大きな制限がある。翻って、本発明の実施形態に係るワイヤレス感知装置は、プラグアンドプレイインターフェイスを介して照明装置の電源変換モジュールに直接接続され、ワイヤレス感知装置が照明装置と統合され、且つ照明装置がワイヤレス感知装置からの検出信号に基づいて対応する操作を実行できる。ゆえに、ワイヤレス感知装置の応用範囲がより広がる。
【００３７】
なお、従来の技術による検出器の設置には専用の回路が必要であり、多くの検出器を設置させる場合、多くの回路を同時に増設せねばならず、検出器の設置コストが極めて高い。翻って、本発明の実施形態に係るワイヤレス感知装置は、プラグアンドプレイインターフェイスを介して照明装置の電源変換モジュールに直接接続される。このため、回路は照明装置と共用になり、回路を増設させる必要がなく、よって、検出器の設置コストが大幅に削減される。
【００３８】
同様に、従来の技術による検出器の設置には広い専用の空間が必要であり、多くの検出器を設置させる場合、広く空間を占拠するため、使用上極めて不便であった。翻って、本発明の実施形態に係るワイヤレス感知装置はプラグアンドプレイインターフェイスを介して照明装置の電源変換モジュールに直接接続され、照明装置と空間を共用するため、空間を余計に占拠しなくなり、よって、使用上より便利になる。
【００３９】
さらに、従来の技術による検出器は通常１種類の機能のみしか提供しないため、使用上大きな制限があった。翻って、本発明の実施形態に係るワイヤレス感知装置は、異なる機能を有する複数の検出モジュールが統合されることで、多種多様な感知機能が提供され、使用上汎用性が高まる。
【００４０】
このほか、従来の技術による検出器通常は感知機能のみしかなく、応用範囲が大きく制限された。翻って、本発明の実施形態では、ワイヤレス感知装置が照明装置に接続されるため、照明装置はワイヤレス感知装置からの検出信号に基づいて対応する操作を実行させ、或いは、更にワイヤレス通信モジュールにより検出信号が他の照明装置に発信されることで、他の照明装置もワイヤレス感知装置からの検出信号に基づいて対応する操作を実行させることができる。これによって、更に優れた機能が提供され、且つ応用範囲も広がる。
【００４１】
なお、本発明のある実施形態において、ワイヤレス感知装置はプラグアンドプレイインターフェイスを介して照明装置に直接接続されるため、照明装置と一緒に販売でき、消費者も必要に応じてワイヤレス感知装置も一緒に購入するかどうか決められる。ゆえに、消費者の選択肢が広がり、製品の商業的価値が大幅に高まる。上述のように、本発明は極めて高い進歩性を有する特許要件である。
【００４２】
（第４実施形態）
図５は本発明の第４実施形態によるワイヤレス感知装置を示す概略図である。本実施形態を例にして、本発明のワイヤレス感知装置の使用状況を説明する。図示するように、ワイヤレス感知装置２はＵＳＢインターフェイスを介して照明装置Ａに接続され、ワイヤレス感知装置２の光検出器により光検出信号Ｓ２がＵＳＢインターフェイスを通して照明装置Ａに伝送され、照明装置Ａはワイヤレス感知装置２による光検出信号Ｓ２に基づいて対応する操作を実行させ、或いはアンテナにより光検出信号Ｓ２が他の照明装置に発信され、他の照明装置もワイヤレス感知装置２による光検出信号Ｓ２に基づいて対応する操作を実行させることができる。
【００４３】
上述したように、本発明のある実施形態において、ワイヤレス感知装置は照明装置に接続され、照明装置がワイヤレス感知装置からの検出信号に基づいて対応する操作を実行させる。これにより、ワイヤレス感知装置の応用範囲が広がる。
【００４４】
また、ワイヤレス感知装置はプラグアンドプレイインターフェイスを介して照明装置の電源変換モジュールに直接接続されて、灯具の回路が直接利用される。このため、専用の回路が必要ない。よって、コストが大幅に削減される。
【００４５】
本発明のある実施形態において、ワイヤレス感知装置はプラグアンドプレイインターフェイスを介して照明装置の電源変換モジュールに直接接続され、専用の空間が必要ない。ゆえに、空間を余計に占拠させず、使用上より便利になる。
【００４６】
なお、本発明のある実施形態において、ワイヤレス感知装置は、異なる複数の感知モジュールを同時に有し、多種多様な感知機能が提供され、使用上汎用性が高まる。
【００４７】
このほか、本発明のある実施形態において、ワイヤレス感知装置は照明装置に接続されて、照明装置がワイヤレス感知装置からの検出信号に基づいて対応する操作を実行させるのみならず、ワイヤレス通信モジュールにより検出信号が他の照明装置に発信されるため、他の照明装置もワイヤレス感知装置からの検出信号に基づいて対応する操作を実行させることができる。よって、より優れた機能が提供される。
【００４８】
さらに、本発明のある実施形態において、ワイヤレス感知装置はプラグアンドプレイインターフェイスを介して照明装置に直接接続されるため、照明装置と一緒に販売できる。これにより、消費者の選択の幅が広がり、極めて高い商業的価値を有する。
【００４９】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００５０】
１、２  ワイヤレス感知装置
１１  接続用インターフェイス
１２  検出モジュール
１３  処理モジュール
１４  ワイヤレス通信モジュール
２１  ＵＳＢインターフェイス
２２  光検出器
２２'  温度検出器
２２''  湿度検出器
２３  マイクロコントローラ
２４  アンテナ
Ａ  照明装置
Ａ１  電源変換モジュール
Ａ２  発光モジュール
Ａ'  ガス放電ランプ照明装置
Ａ１'  電子安定器
Ａ２'  ガス放電ランプ
Ａ''  発光ダイオード照明装置
Ａ１''  発光ダイオードドライバ
Ａ２''  発光ダイオードランプ
Ｂ  電源
Ｃ  照明制御システム
Ｓ１  検出信号
Ｓ２  光検出信号
Ｓ２'  温度検出信号
Ｓ２''  湿度検出信号
【図１】
2017017027.tif 000003
【図２】
2017017027.tif 000004
【図３】
2017017027.tif 000005
【図４】
2017017027.tif 000006
【図５】
2017017027.tif 000007